(57)【要約】【課題】ＳＫＥＷの調整を簡単に行って色ズレの無い高質なカラー画像を得ることができる光走査装置を提供すること。【解決手段】１組の光源と光学部品及び偏光手段を各々独立のハウジングにそれぞれ収容して複数の光走査ユニット１３Ｍ，１３Ｃ，１３Ｙ，１３Ｋを構成し、各光走査ユニット１３Ｍ，１３Ｃ，１３Ｙ，１３Ｋの主走査方向一端を固定する第１の固定部材２５と、最端部の１つの光走査ユニット１３Ｋの主走査方向他端を固定するとともに、他の光走査ユニット１３Ｍ，１３Ｃ，１３Ｙの主走査方向他端を副走査方向に位置調整可能に固定する第２の固定部材２６を設け、これら第１及び第２の固定部材２５，２６によって複数の前記光走査ユニット１３Ｍ，１３Ｃ，１３Ｙ，１３Ｋを一体化する。【選択図】図４
2011051128.tif 000002
【特許請求の範囲】
【請求項１】
タンデムに配置された複数の像担持体を備えたカラー画像形成装置の前記各像担持体に対して光走査する光源、レンズやミラー等の光学部品、ポリゴンミラーを含む偏光手段を各像担持体に対して１組ずつ備えた光走査装置において、
１組の前記光源と前記光学部品及び前記偏光手段を各々独立のハウジングにそれぞれ収容して複数の光走査ユニットを構成するとともに、各光走査ユニットを副走査方向に配列し、
各光走査ユニットの主走査方向一端を固定する第１の固定部材と、最端部の１つの光走査ユニットの主走査方向他端を固定するとともに、他の光走査ユニットの主走査方向他端を副走査方向に位置調整可能に固定する第２の固定部材を設け、これら第１及び第２の固定部材によって複数の前記光走査ユニットを一体化したことを特徴とする光走査装置。
【請求項２】
前記第２の固定部材に、最端部の前記１つの光走査ユニット以外の光走査ユニットの主走査方向他端を副走査方向に位置調整可能に固定するための長孔を形成したことを特徴とする請求項１記載の光走査装置。
【請求項３】
請求項１又は２記載の光走査装置を装填して成るカラー画像形成装置において、
前記光走査装置の副走査方向一端を装置本体の相対向する一方の側板に固定し、同光走査装置の副走査方向他端を他方の側板に主走査方向に位置調整可能に固定したことを特徴とするカラー画像形成装置。
【請求項４】
前記光走査装置の副走査方向他端に位置決めボスを形成し、該位置決めボスが嵌合する位置決めプレートを前記他方の側板に対して主走査方向に位置調整可能に取り付け、該側板の外側から前記位置決めボスを操作して前記光走査装置の他端を主走査方向に位置調整するよう構成したことを特徴とする請求項３記載のカラー画像形成装置。
【発明の詳細な説明】
【技術分野】
【０００１】
本発明は、電子写真方式によってカラー画像を形成するカラー複写機やカラープリンタ等のカラー画像形成装置とこれに備えられた光走査装置に関するものである。
【背景技術】
【０００２】
電子写真方式によって用紙に画像を形成する複写機やプリンタ等の画像形成装置においては、帯電手段によって一様に帯電された像担持体に光走査装置から静電潜像書き込み用の光を露光走査して該像担持体上に静電潜像を形成し、該静電潜像を現像手段によってトナーを用いて現像してトナー像として顕像化することが行われる。
【０００３】
ところで、光走査装置としては例えばレーザースキャナユニット（ＬＳＵ）が用いられるが、このレーザースキャナユニットは、ハウジングの内部にコリメータレンズ、シリンドリカルレンズ、走査レンズであるｆθレンズ、反射ミラー等の各種光学部品の他、偏光手段であるポリゴンミラーとこれを回転駆動するポリゴンモータ等を収納して構成されている。
【０００４】
斯かるレーザースキャナユニットにおいては、光源であるレーザーダイオードから出射したレーザー光がコリメータレンズとシリンドリカルレンズを経由してポリゴンミラーに入射され、ポリゴンミラーで反射したレーザー光は、走査レンズを経由して反射ミラーで反射して感光ドラム等の像担持体上に結像されて露光走査し、該像担持体上に画像情報に応じた静電潜像が形成される。
【０００５】
ところで、複数の像担持体をタンデムに配置して成るカラー画像形成装置においては、光走査装置によって各像担持体表面が露光走査されるが、各像担持体への光路（主走査ライン）の副走査方向への位置ズレ（ＳＫＥＷ）や斜入射による像面の湾曲（ＢＯＷ）によってカラー画像に色ズレが発生する。
【０００６】
そこで、特許文献１には、感光体（像担持体）を光ビームで主走査方向に露光走査する走査手段と感光体との間に、光ビームを副走査方向に集光させるレンズ手段を配設ことによって、精密な調整機構を用いることなく光ビームの走査位置を副走査方向に微調整するようにした光走査装置が提案されている。
【先行技術文献】
【特許文献】
【０００７】
【特許文献１】特開平１０−２０６７６４号公報
【発明の概要】
【発明が解決しようとする課題】
【０００８】
ところで、全ての像担持体に共通の１つのポリゴンミラーを備えた光走査装置において、ＳＫＥＷの調整に或る光路を基準として他の光路の副走査方向のズレを調整する方法、具体的には折り返しミラーを前後何れかを基準として左右に調整することによってＳＫＥＷを調整する方法が採用されている。
【０００９】
しかしながら、上記調整方法では、基準以外の光路では前後に光路長の差が生じてしまい、光量ムラによる画像不良が発生する。又、１つのポリゴンミラーに光路が複数集光されるために斜入射による像面の湾曲（ＢＯＷ）による色ズレの問題も懸念される。
【００１０】
本発明は上記問題に鑑みてなされたもので、その目的とする処は、ＳＫＥＷの調整を簡単に行って色ズレの無い高質なカラー画像を得ることができる光走査装置とこれを備えたカラー画像形成装置を提供することにある。
【課題を解決するための手段】
【００１１】
上記目的を達成するため、請求項１記載の発明は、タンデムに配置された複数の像担持体を備えたカラー画像形成装置の前記各像担持体に対して光走査する光源、レンズやミラー等の光学部品、ポリゴンミラーを含む偏光手段を各像担持体に対して１組ずつ備えた光走査装置において、
１組の前記光源と前記光学部品及び前記偏光手段を各々独立のハウジングにそれぞれ収容して複数の光走査ユニットを構成するとともに、各光走査ユニットを副走査方向に配列し、
各光走査ユニットの主走査方向一端を固定する第１の固定部材と、最端部の１つの光走査ユニットの主走査方向他端を固定するとともに、他の光走査ユニットの主走査方向他端を副走査方向に位置調整可能に固定する第２の固定部材を設け、これら第１及び第２の固定部材によって複数の前記光走査ユニットを一体化したことを特徴とする。
【００１２】
請求項２記載の発明は、請求項１記載の発明において、前記第２の固定部材に、最端部の前記１つの光走査ユニット以外の光走査ユニットの主走査方向他端を副走査方向に位置調整可能に固定するための長孔を形成したことを特徴とする。
【００１３】
請求項３記載の発明は、請求項１又は２記載の光走査装置を装填して成るカラー画像形成装置において、
前記光走査装置の副走査方向一端を装置本体の相対向する一方の側板に固定し、同光走査装置の副走査方向他端を他方の側板に主走査方向に位置調整可能に固定したことを特徴とする。
【００１４】
請求項４記載の発明は、請求項３記載の発明において、前記光走査装置の副走査方向他端に位置決めボスを形成し、該位置決めボスが嵌合する位置決めプレートを前記他方の側板に対して主走査方向に位置調整可能に取り付け、該側板の外側から前記位置決めボスを操作して前記光走査装置の他端を主走査方向に位置調整するよう構成したことを特徴とする。
【発明の効果】
【００１５】
請求項１及び２記載の発明によれば、各光走査ユニットの主走査方向一端を固定し、最端部の１つの光走査ユニットの主走査方向他端を固定するとともに、他の光走査ユニットの主走査方向他端を副走査方向に位置調整可能に固定したため、最端部の１つの光走査ユニットの光路を基準として他の光走査ユニットの光路の位置を副走査方向に調整することによってＳＫＥＷを簡単に調整することができ、色ズレの無い高質なカラー画像を得ることができる。そして、各像担持体に対してそれぞれ１つのポリゴンミラーを有するため、斜入射による像面の湾曲（ＢＯＷ）の影響は小さく、カラー画像の色ズレの問題は発生しない。
【００１６】
請求項３及び４記載の発明によれば、光走査装置の副走査方向一端を支点として副走査方向他端を主走査方向に位置調整することによって、光走査装置と画像形成装置本体（像担持体）との間でＳＫＥＷを調整することができ、色ズレの無い高質なカラー画像を得ることができる。
【図面の簡単な説明】
【００１７】
【図１】本発明に係るカラー画像形成装置（カラーレーザープリンタ）の断面図である。
【図２】本発明に係る光走査装置の光走査ユニットの一部を破断して示す斜視図である。
【図３】本発明に係る光走査装置の光走査ユニットの断面図である。
【図４】本発明に係る光走査装置の光走査ユニットの組付要領を示す分解斜視図である。
【図５】本発明に係る光走査装置の斜視図である。
【図６】図５のＡ部拡大詳細図である。
【図７】ＳＫＥＷ調整を示す説明図である。
【図８】本発明に係る光走査装置のプリンタ本体への組込要領を示す分解斜視図である。
【図９】図８の矢視Ｂ方向の図である。
【図１０】図９の矢視Ｃ方向の図である。
【発明を実施するための形態】
【００１８】
以下に本発明の実施の形態を添付図面に基づいて説明する。
【００１９】
［カラー画像形成装置］
図１は本発明に係るカラー画像形成装置の一形態としてのカラーレーザープリンタの断面図であり、図示のカラーレーザープリンタはタンデム型であって、その本体１００内の中央部には、マゼンタ画像形成ユニット１Ｍ、シアン画像形成ユニット１Ｃ、イエロー画像形成ユニット１Ｙ及びブラック画像形成ユニット１Ｋが一定の間隔でタンデムに配置されている。
【００２０】
上記各画像形成ユニット１Ｍ，１Ｃ，１Ｙ，１Ｋには、像担持体である感光ドラム２ａ，２ｂ，２ｃ，２ｄがそれぞれ配置されており、各感光ドラム２ａ〜２ｄの周囲には、帯電器３ａ，３ｂ，３ｃ，３ｄ、現像装置４ａ，４ｂ，４ｃ，４ｄ、転写ローラ５ａ，５ｂ，５ｃ，５ｄ及びドラムクリーニング装置６ａ，６ｂ，６ｃ，６ｄがそれぞれ配置されている。
【００２１】
ここで、前記感光ドラム２ａ〜２ｄは、ドラム状の感光体であって、不図示の駆動モータによって図示矢印方向（時計方向）に所定のプロセススピードで回転駆動される。又、前記帯電器３ａ〜３ｄは、不図示の帯電バイアス電源から印加される帯電バイアスによって感光ドラム２ａ〜２ｄの表面を所定の電位に均一に帯電させるものである。
【００２２】
更に、前記現像装置４ａ〜４ｄは、マゼンタ（Ｍ）トナー、シアン（Ｃ）トナー、イエロー（Ｙ）トナー、ブラック（Ｋ）トナーをそれぞれ収容しており、各感光ドラム２ａ〜２ｄ上に形成された各静電潜像に各色のトナーを付着させて各静電潜像を各色のトナー像として可視像化するものである。
【００２３】
又、前記転写ローラ５ａ〜５ｄは、各一次転写部にて中間転写ベルト７を介して各感光ドラム２ａ〜２ｄに当接可能に配置されている。ここで、中間転写ベルト７は、二次転写対向ローラ８とテンションローラ９との間に張設されて各感光ドラム２ａ〜２ｄの上面側に走行可能に配置されており、前記二次転写対向ローラ８は、二次転写部において中間転写ベルト７を介して二次転写ローラ１０に当接可能に配置されている。又、テンションローラ９の近傍にはベルトクリーニング装置１１が設けられている。
【００２４】
ところで、プリンタ本体１００内の各画像形成ユニット１Ｍ，１Ｃ，１Ｙ，１Ｋの上方には、前記各現像装置４ａ〜４ｄにトナーを補給するためのトナーコンテナ１２ａ，１２ｂ，１２ｃ，１２ｄが一列に並設されている。
【００２５】
又、プリンタ本体１００内の各画像形成ユニット１Ｍ，１Ｃ，１Ｙ，１Ｋの下方には本発明に係る光走査装置（レーザースキャナユニット（ＬＳＵ））１３が配置され、その下方のプリンタ本体１００の底部には給紙カセット１４が着脱可能に設置されている。そして、給紙カセット１４には複数枚の不図示の用紙が積層収容されており、この給紙カセット１４の近傍には、給紙カセット１４から用紙を取り出すピックアップローラ１５と、取り出された用紙を分離して搬送パスＳへと１枚ずつ送り出すフィードローラ１６とリタードローラ１７が設けられている。
【００２６】
又、プリンタ本体１００の側部を上下方向に延びる前記搬送パスＳには、用紙を搬送する搬送ローラ対１８と、用紙を一時待機させた後に所定のタイミングで前記二次転写対向ローラ８と二次転写ローラ１０との当接部である二次転写部へと供給するレジストローラ対１９が設けられている。尚、搬送パスＬの横には、用紙の両面に画像を形成する場合に使用される別の搬送パスＳ’が形成されており、この搬送パスＳ’には複数の反転ローラ対２０が適当な間隔で設けられている。
【００２７】
ところで、プリンタ本体１００内の一側部に縦方向に配置された前記搬送パスＳは、プリンタ本体１００の上面に設けられた排紙トレイ２１まで延びており、その途中には定着装置２２と排紙ローラ対２３，２４が設けられている。
【００２８】
次に、以上の構成を有するカラーレーザープリンタによる画像形成動作について説明する。
【００２９】
画像形成開始信号が発せられると、各画像形成ユニット１Ｍ，１Ｃ，１Ｙ，１Ｋにおいて各感光ドラム２ａ〜２ｄが図示矢印方向（時計方向）に所定のプロセススピードで回転駆動され、これらの感光ドラム２ａ〜２ｄは、帯電器３ａ〜３ｄによって一様に帯電される。又、光走査装置１３は、各色毎のカラー画像信号によって変調されたレーザー光を出射し、そのレーザー光を各感光ドラム２ａ〜２ｄの表面に照射し、各感光ドラム２ａ〜２ｄ上に各色のカラー画像信号に対応した静電潜像をそれぞれ形成する。
【００３０】
そして、先ず、マゼンタ画像形成ユニット１Ｍの感光ドラム２ａ上に形成された静電潜像に、該感光ドラム２ａの帯電極性と同極性の現像バイアスが印加された現像装置４ａによってマゼンタトナーを付着させ、該静電潜像をマゼンタトナー像として可視像化する。このマゼンタトナー像は、感光ドラム２ａと転写ローラ５ａとの間の一次転写部（転写ニップ部）において、トナーと逆極性の一次転写バイアスが印加された転写ローラ５ａの作用によって、図示矢印方向に回転駆動されている中間転写ベルト７上に一次転写される。
【００３１】
上述のようにしてマゼンタトナー像が一次転写された中間転写ベルト７は、次のシアン画像形成ユニット１Ｃへと移動する。そして、シアン画像形成ユニット１Ｃにおいても、前記と同様にして、感光ドラム２ｂ上に形成されたシアントナー像が一次転写部において中間転写ベルト７上のマゼンタトナー像に重ねて転写される。
【００３２】
以下同様にして、中間転写ベルト７上に重畳転写されたマゼンタ及びシアントナー像の上に、イエロー及びブラック画像形成ユニット１Ｙ，１Ｋの各感光ドラム２ｃ，２ｄ上にそれぞれ形成されたイエロー及びブラックトナー像が各一次転写部において順次重ね合わせられ、中間転写ベルト７上にはフルカラーのトナー像が形成される。尚、中間転写ベルト７上に転写されないで各感光ドラム２ａ〜２ｄ上に残留する転写残トナーは、各ドラムクリーニング装置６ａ〜６ｄによって除去され、各感光ドラム２ａ〜２ｄは次の画像形成に備えられる。
【００３３】
そして、中間転写ベルト７上のフルカラートナー像の先端が二      次転写対向ローラ８と二次転写ローラ１０間の二次転写部（転写ニップ部）に達するタイミングに合わせて、給紙カセット１４からピックアップローラ１５とフィードローラ１６及びリタードローラ１７によって搬送パスＳへと送り出された用紙がレジストローラ対１９によって二次転写部へと搬送される。そして、二次転写部に搬送された用紙に、トナーと逆極性の二次転写バイアスが印加された二次転写ローラ１０によってフルカラーのトナー像が中間転写ベルト７から一括して二次転写される。
【００３４】
而して、フルカラーのトナー像が転写された用紙は、定着装置２２へと搬送され、フルカラーのトナー像が加熱及び加圧されて用紙の表面に熱定着され、トナー像が定着された用紙は、排紙ローラ対２３，２４によって排紙トレイ２１上に排出されて一連の画像形成動作が完了する。尚、用紙上に転写されないで中間転写ベルト７上に残留する転写残トナーは、前記ベルトクリーニング装置１１によって除去され、中間転写ベルト７は次の画像形成に備えられる。
【００３５】
［光走査装置］
次に、本発明に係る前記光走査装置１３についての詳細を図２〜図１０に基づいて説明する。
【００３６】
図２は本発明に係る光走査装置の光走査ユニットの一部を破断して示す斜視図、図３は同光走査ユニットの断面図、図４は光走査ユニットの組付要領を示す分解斜視図、図５は本発明に係る光走査装置の斜視図、図６は図５のＡ部拡大詳細図、図７はＳＫＥＷ調整を示す説明図、図８は光走査装置のプリンタ本体への組込要領を示す分解斜視図、図９は図８の矢視Ｂ方向の図、図１０は図９の矢視Ｃ方向の図である。
【００３７】
図５に示すように、本発明に係る光走査装置１３は、各色の感光ドラム２ａ〜２ｄに対してそれぞれ各１つの光走査ユニット１３Ｍ，１３Ｃ，１３Ｙ，１３Ｋを計４つ備え、これらの光走査ユニット１３Ｍ，１３Ｃ，１３Ｙ，１３Ｋは主走査方向両端が固定部材２５，２６（図４参照）にそれぞれ固定されることによって組付一体化されている。
【００３８】
ここで、光走査ユニット１３Ｍ，１３Ｃ，１３Ｙ，１３Ｋの構成は同じであるため、以下、１つの光走査ユニット１３Ｍの構成を図２及び図３に基づいて説明する。
【００３９】
光走査ユニット１３Ｍは、樹脂にて矩形ボックス状に成形されたハウジング２７内に偏光手段であるポリゴンミラー２８とこれを回転駆動するポリゴンモータ２９、光源である不図示のレーザーダイオード、不図示のコリメータレンズとシリンドリカルレンズ、２つの走査レンズ３０，３１及び３つの反射ミラー３２，３３，３４を収容して構成されている。そして、図２に示すように、ハウジング２７の主走査方向一端面には左右２本のボス１３ａ，１３ｂが突設され、他端面には１本のボス１３ｃが突設されている。
【００４０】
上記のように構成された光走査ユニット１３Ｍにおいて、不図示のレーザーダイオードから出射されたレーザー光は、コリメータレンズとシリンドリカルレンズによって線状の光束に集光された後、ポリゴンモータ２９によって回転駆動されるポリゴンミラー２８に入射する。
【００４１】
上述のようにポリゴンミラー２８に入射したレーザー光は、回転するポリゴンミラー２８によって偏光走査され、その反射光は２つの走査レンズ３０，３１と３つの反射ミラー３２〜３４を経て感光ドラム２ａ上に結像され、結像された光束は、ポリゴンミラー２８の回転によって感光ドラム２ａ上を主走査方向に走査し、感光ドラム２ａの回転によって副走査方向に走査して感光ドラム２ａ上に静電潜像を形成する。
【００４２】
而して、本発明に係る光走査装置１３は、図４及び図５に示すように、光走査ユニット１３Ｍ，１３Ｃ，１３Ｙ，１３Ｋを組付一体化することによって構成されているが、これらの光走査ユニット１３Ｍ，１３Ｃ，１３Ｙ，１３Ｋの組付要領を図４に基づいて以下に説明する。
【００４３】
前記一方（プリンタ本体１００の後側）の固定部材２５の長手方向（副走査方向）４箇所（光走査ユニット１３Ｍ，１３Ｃ，１３Ｙ，１３Ｋに対応する箇所）には円孔状の固定孔２５ａと長孔状の回り止め孔２５ｂがそれぞれ形成され、他方（プリンタ本体１００の前側）の固定部材２６の光走査ユニット１３Ｍ，１３Ｃ，１３Ｙに対応する長手方向３箇所には副走査方向（プリンタ本体１００の左右方向）に長い長孔状の固定孔２６ａがそれぞれ形成され、同固定部材２６の光走査ユニット１３Ｋに対応する１箇所には円孔状の固定孔２６ｂが形成されている。
【００４４】
そして、各光走査ユニット１３Ｍ，１３Ｃ，１３Ｙ，１３Ｋは、その主走査方向一端（後端）が一方の固定部材２５に固定され、他端（前端）が他方の固定部材２６に対して副走査方向に位置調整可能に固定されることによって組付一体化され、図５に示す光走査装置１３が構成される。
【００４５】
ここで、各光走査ユニット１３Ｍ，１３Ｃ，１３Ｙ，１３Ｋの主走査方向の一端（後側）は、これに形成されたボス１３ａ，１３ｂ（図２参照）を一方の固定部材２５に形成された固定孔２５ａと回り止め孔２５ｂにそれぞれ通して固定することによって回り止めされた状態で固定部材２５にそれぞれ固定される。又、最端部の光走査ユニット１３Ｋの主走査方向他端（前端）は、これに形成されたボス１３ｃ（図２参照）を他方の固定部材２６に形成された円孔状の固定孔２６ｂに通して固定することによって他方の固定部材２６に固定される。従って、光走査ユニット１３Ｋは、その主走査方向の両端部が固定部材２５，２６に位置調整不能に固定される。
【００４６】
他方、光走査ユニット１３Ｋ以外の他の光走査ユニット１３Ｍ，１３Ｃ，１３Ｙの主走査方向他端（前端）は、これに形成されたボス１３ｃ（図２参照）を前側の固定部材２６に形成された長孔状の固定孔２６ａに通して固定することによって固定部材２６に対して副走査方向に位置調整可能に固定される。つまり、光走査ユニット１３Ｍ，１３Ｃ，１３Ｙの主走査方向他端（前端）は、これを組み付けた後においても、各ボス１３ｃが他方の固定部材２６の長孔状の固定孔２６ａ内で移動可能な範囲で、その前端位置が副走査方向（図６の矢印方向）に調整可能となる。
【００４７】
以上のように、本実施の形態では、各光走査ユニット１３Ｍ，１３Ｃ，１３Ｙ，１３Ｋの主走査方向一端（後端）を固定し、最端部の１つの光走査ユニット１３Ｋの主走査方向他端（前端）を固定するとともに、他の光走査ユニット１３Ｍ，１３Ｃ，１３Ｋの主走査方向他端（前端）を副走査方向に位置調整可能に固定したため、図７に示すように、最端部の１つの光走査ユニット１３Ｋの光路Ｌｋを基準として他の光走査ユニット１３Ｍ，１３Ｃ，１３Ｙの光路Ｌｍ，Ｌｃ，Ｌｙの位置を副走査方向（図示矢印方向）に調整することができる。このため、光走査ユニット１３Ｍ，１３Ｃ，１３Ｋの各光路Ｌｍ，Ｌｃ，Ｌｙの位置の光走査ユニット１３Ｋの光路Ｌｋに対する副走査方向のズレ（ＳＫＥＷ）を簡単に調整することができ、これによって色ズレの無い高質なカラー画像を得ることができる。尚、本実施の形態では、各感光ドラム２ａ〜２ｄに対してそれぞれ１つのポリゴンミラー２８を有するため、斜入射による像面の湾曲（ＢＯＷ）の影響は小さく、カラー画像の色ズレの問題は発生しない。
【００４８】
次に、光走査装置１３のプリンタ本体１００への組込要領を図８〜図１０に基づいて説明する。
【００４９】
本実施の形態では、光走査装置１３はプリンタ本体１００に対してその左側面の開口部（不図示）から図８に矢印にて示すように奥側（右方向）へと組み込まれるが、その奥側（右側）の２点がプリンタ本体１００側に設けられた右側の側板３５に固定され、手前側（左側）の１点が側板３５に対向する左側の側板３６に対して位置決め板３７を介して主走査方向（前後方向）に位置調整可能に固定される。
【００５０】
具体的には、右側の側板３５の長手方向両端には前後方向に長い長孔状の固定孔３５ａが形成され、これらの中間には上下方向に長い長孔状の位置決め孔３５ｂが形成されている。又、図９に示すように、光走査装置１３の左端面の前後方向中央には円柱状の位置決めボス３８が突設されており、前記位置決め板３７には、前記位置決めボス３８が挿通嵌合する円孔状の嵌合孔３７ａが形成され、その周囲には２つの円孔状のビス孔３７ｂと２つの位置決め突起３７ｃが形成されている。更に、左側の側板３６の前後方向中間には前後方向（主走査方向）に長い長孔状の嵌合孔３６ａが形成され、嵌合孔３６ａの周囲には前後方向に長い２つのビス孔３６ｂと２つの位置決め孔３６ｃが形成されている。そして、光走査装置１３の右端面の前後方向両端にはボス１３ｄが突設され、これらの中間にはボス１３ｅが突設されている（図８参照）。
【００５１】
而して、光走査装置１３は、その右端面に突設されたボス１３ｄと１３ｅを右側の側板３５に形成された固定孔３５ａと位置決め孔３５ｂにそれぞれ通して固定することによって、その右端部が側板３５に位置調整不能に固定される。これに対して、光走査装置１３の左端部は、これに突設された位置決めボス３８を位置決め板３７の嵌合孔３７ａに挿通嵌合させ、位置決め板３７をこれに形成された２つのビス孔３７ｂと側板３６に形成された２つのビス孔３６ｂに挿通する２本のビス３９によって側板３６に締め付けるとともに、位置決め板３７に突設された位置決め突起３７ｃを側板３６に形成された位置決め孔３６ｃに嵌合させる。このため、光走査装置１３の左端（副走査方向他端）は、ビス３９と位置決め突起３７ｃが長孔状のビス孔３６ｂ，３７ｂと位置決め孔３６ｃ内で移動可能な範囲で、主走査方向（前後方向）にその位置が調整可能となる。つまり、光走査装置１３は、これをプリンタ本体１００に組み付けた後においても、ビス３９による締め付けを緩めた状態で、側板３６の外側から位置決めボス３８を操作することによって、光走査装置１３の左端位置（副走査方向一端）が主走査方向（図１０の矢印方向）に調整可能となる。
【００５２】
以上のように、本実施の形態では、光走査装置１３の挿入方向先端部である右端部を支点として挿入方向後端部である左端部を主走査方向（前後方向）に位置調整することができるため、該光走査装置１３とプリンタ本体１００（感光ドラム２ａ〜２ｄ）との間でＳＫＥＷを調整することができ、色ズレの無い高質なカラー画像を得ることができる。
【００５３】
尚、以上は本発明をカラーレーザープリンタとこれに備えられた光走査装置に対して適用した形態について説明したが、本発明は、カラー複写機等の他の任意のカラー画像形成装置とこれに備えられた光走査装置に対しても同様に適用可能であることは勿論である。
【符号の説明】
【００５４】
１Ｍ            マゼンタ画像形成ユニット
１Ｃ            シアン画像形成ユニット
１Ｙ            イエロー画像形成ユニット
１Ｋ            ブラック画像形成ユニット
２ａ〜２ｄ      感光ドラム（像担持体）
３ａ〜３ｄ      帯電器
４ａ〜４ｄ      現像装置
５ａ〜５ｄ      転写ローラ
６ａ〜６ｄ      ドラムクリーニング装置
７              中間転写ベルト
８              二次転写対向ローラ
９              テンションローラ
１０            二次転写ローラ
１１            ベルトクリーニング装置
１２ａ〜１２ｄ  トナーコンテナ
１３            光走査装置）
１３Ｍ          光走査ユニット（マゼンタ）
１３Ｃ          光走査ユニット（シアン）
１３Ｙ          光走査ユニット（イエロー）
１３Ｋ          光走査ユニット（ブラック）
１３ａ〜１３ｅ  光走査装置のボス
１４            給紙カセット
１５            ピックアップローラ
１６            フィードローラ
１７            リタードローラ
１８            搬送ローラ対
１９            レジストローラ対
２０            搬送ローラ対
２１            排紙トレイ
２２            定着装置
２３，２４      排紙ローラ対
２５            固定部材（第１の固定部材）
２６            固定部材（第２の固定部材）
２７            光走査装置のハウジング
２８            ポリゴンミラー
２９            ポリゴンモータ
３０，３１      走査レンズ
３２〜３４      反射ミラー
３５            側板
３５ａ          側板の固定孔
３５ｂ          側板の位置決め孔
３６            側板
３６ａ          側板の嵌合孔
３６ｂ          側板のビス孔
３６ｃ          側板の位置決め孔
３７            位置決め板
３７ａ          位置決め板の嵌合孔
３７ｂ          位置決め板のビス孔
３７ｃ          位置決め突起
３８            位置決めボス
３９            ビス
１００          プリンタ本体（画像形成装置本体）
Ｌｍ            光路（マゼンタ）
Ｌｃ            光路（シアン）
Ｌｙ            光路（イエロー）
Ｌｋ            光路（ブラック）
Ｓ，Ｓ’        搬送パス
【図１】
2011051128.tif 000003
【図２】
2011051128.tif 000004
【図３】
2011051128.tif 000005
【図４】
2011051128.tif 000006
【図５】
2011051128.tif 000007
【図６】
2011051128.tif 000008
【図７】
2011051128.tif 000009
【図８】
2011051128.tif 000010
【図９】
2011051128.tif 000011
【図１０】
2011051128.tif 000012